(57)【要約】【課題】横長の複数の壁パネルを上下方向に積み重ねて構築される壁面の一部にドア枠を十分な強度で、且つ、作業性良く簡単に取り付けることができる壁面へのドア枠取付構造を提供すること。【解決手段】防水パネル（フロア部材）３０のコーナー部にコーナーポスト２０を固定し、防水パネル３０の周縁に沿って横長の複数の壁パネル１０を上下方向に積み重ねて接合することによって構成される壁面の一部に開口部Ｓを形成し、その開口部Ｓにドア枠７を取り付ける構造として、壁面の開口部Ｓを形成する面に、他の面を構成する壁パネル（壁パネルＡ）１０よりも幅の狭い複数の壁パネル１１Ａ〜１１Ｅ（壁パネルＢ）を上下方向に重ねて接合するとともに、これらの壁パネル１１Ａ〜１１Ｅの各自由端をドアモール３で結合することによって前記開口部Ｓを形成し、該開口部Ｓにドア枠７を取り付ける構造とする。【選択図】図７
2006016832.tif 000002
【特許請求の範囲】
【請求項１】
フロア部材のコーナー部にコーナーポストを略垂直に起立した状態で固定し、フロア部材の周縁に沿って横長の複数の壁パネルを上下方向に積み重ねて接合するとともに、各壁パネルの両側端縁を前記コーナーポストに結合することによって構成される壁面の一部に開口部を形成し、その開口部にドア枠を取り付ける構造であって、
前記壁面の前記開口部を形成する面に、他の面を構成する壁パネルＡよりも幅の狭い複数の壁パネルＢを上下方向に重ねて接合するとともに、これらの壁パネルの各自由端をドアモールで結合することによって開口部を形成し、該開口部にドア枠を取り付けたことを特徴とする壁面へのドア枠取付構造。
【請求項２】
前記ドア枠を前記ドアモールと前記コーナーポストの１つに取り付けたことを特徴とする請求項１記載の壁面へのドア枠取付構造。
【発明の詳細な説明】
【技術分野】
【０００１】
本発明は、横長の複数の壁パネルを上下方向に積み重ねて構築されるユニットバスルーム等の壁面の一部にドア枠を取り付ける構造に関するものである。
【背景技術】
【０００２】
例えば、システムバスルームの壁面を構築する形態として、図１０に示すように、横長の複数の壁パネル１０を上下方向に積み重ねて接合する方式が提案されている（特許文献１参照）。尚、壁パネルの接合構造としては例えば特許文献１に開示されている。
【０００３】
ところで、図１０に示すユニットバスルームには、壁面の一部にドアが必然的に設けられるが、そのためにはドアを設ける壁面の一部に開口部を形成し、この開口部の周囲にドア枠を取り付ける必要がある。
【０００４】
【特許文献１】特許第３３０７６１４号公報
【発明の開示】
【発明が解決しようとする課題】
【０００５】
ところが、横長の複数の壁パネルを上下方向に積み重ねて接合する方式において壁面の一部に開口部を形成するには、この開口部を形成する面に、他の面を構成する壁パネルよりも幅の狭い（横方向長さが短い）複数の壁パネルを上下方向に重ねる方法が考えられるが、この方法では、幅の狭い各壁パネルの開口部に面する側端部が自由端となって安定せず、ドア枠の取付強度が不足するばかりか、取付作業が困難であるという問題が考えられる。
【０００６】
本発明は上記問題に鑑みてなされたもので、その目的とする処は、横長の複数の壁パネルを上下方向に積み重ねて構築される壁面の一部にドア枠を十分な強度で、且つ、作業性良く簡単に取り付けることができる壁面へのドア枠取付構造を提供することにある。
【課題を解決するための手段】
【０００７】
上記目的を達成するため、請求項１記載の発明は、フロア部材のコーナー部にコーナーポストを略垂直に起立した状態で固定し、フロア部材の周縁に沿って横長の複数の壁パネルを上下方向に積み重ねて接合するとともに、各壁パネルの両側端縁を前記コーナーポストに結合することによって構成される壁面の一部に開口部を形成し、その開口部にドア枠を取り付ける構造として、前記壁面の前記開口部を形成する面に、他の面を構成する壁パネルＡよりも幅の狭い複数の壁パネルＢを上下方向に重ねて接合するとともに、これらの壁パネルの各自由端をドアモールで結合することによって開口部を形成し、該開口部にドア枠を取り付ける構造としたことを特徴とする。
【０００８】
請求項２記載の発明は、請求項１記載の発明において、前記ドア枠を前記ドアモールと前記コーナーポストの１つに取り付けたことを特徴とする。
【発明の効果】
【０００９】
請求項１記載の発明によれば、上下方向に積み重ねられた幅の狭い（横方向長さが短い）複数の壁パネルＢの各自由端をドアモールで結合するため、これらの壁パネルＢがドアモールによって確実に固定され、壁面の一部に形成された開口部にドア枠を十分な強度で、且つ、作業性良く簡単に取り付けることができる
請求項２記載の発明によれば、ドア枠をドアモールとコーナーポストの１つに確実に取り付けることができる。
【発明を実施するための最良の形態】
【００１０】
以下に本発明の実施の形態を添付図面に基づいて説明する。
【００１１】
本実施の形態は、図１０に示すユニットバスルームの壁面の一部に開口部を形成し、この開口部にドア枠を取り付けるものであって、その作業手順を図１〜図９に基づいて説明する。
【００１２】
先ず、図１〜図３の斜視図に示す手順でコーナーポスト２０とフロアモール２１が固定される。即ち、図１に示すように、ユニットバスルームの洗い場を構成する防水パネル３０の四隅に樹脂製のコーナーポスト固定部材１がねじ止めされ（図１には一部のみ図示）、その両側には防水パネル３０の周縁に沿ってアルニウム製のフロアモール２１がビス２２によって取り付けられる。尚、コーナーポスト２０は、アルミニウムの角パイプ材で構成されている。
【００１３】
次に、図２に示すように、コーナーポスト２０を垂直に立てた状態で、その下端部をコーナーポスト固定部材１に差し込んで、その内面をコーナーポスト固定部材１の外側面にそれぞれ嵌合させる（図３参照）。すると、この嵌合によって、コーナーポスト２０がコーナーポスト固定部材１によって略垂直状態に固定されるが、その後、コーナーポスト２０の下端側部に穿設された下穴２０ａ（図２参照）にビス２を通し、このビス２をコーナーポスト固定部材１にねじ込むことによって、図３に示すように、コーナーポスト２０を一層確実に固定することができる。
【００１４】
以上の作業を他のコーナー部についても同様に行うことによって、図１０に示すユニットバスルームの防水パネル３０の四隅にコーナーポスト２０を略垂直状態で固定するとともに、フロアモール２１が防水パネル３０の周縁に沿って取り付けられる。
【００１５】
次に、壁面の一部に開口部を形成する要領を図４〜図７に基づいて説明する。尚、図４は最下段の壁パネルの組付要領を示す部分縦断面図、図５は最下段の壁パネルへのドアモールの取付要領を示す斜視図、図６は２段目より上の壁パネルの組付要領を示す部分縦断面図、図７は開口部が形成された壁面を示す斜視図である。
【００１６】
開口部を形成する面には、他の面を構成する横長の壁パネル１０（図１０参照）よりも幅の狭い（横方向長さが短い）壁パネル１１（１１Ａ〜１１Ｅ）が上下方向に積み重ねられて接合されるが、図５に示すように、先ず、最下段の壁パネル１１Ａがフロアモール２１上に嵌め込まれて垂直に立設される。即ち、壁パネル１１Ａの上下端面の幅方向中央部には矩形溝状の凹部１１ａがそれぞれ形成されており（図５には一方のみ図示）、この凹部１１ａをフロアモール２１の凸部２１ａに嵌め込むことによって、該壁パネル１１Ａが垂直に起立した状態でフロアモール２１に取り付けられる。尚、フロアモール２１のバスルーム側に開口する嵌合溝２１ｂには目地材２３が嵌め込まれ、防水パネル３０と壁パネル１１Ａの接合部の隙間が目地材２３によってバスルーム側（内面側）から覆われて人目から隠される。又、壁パネル１１Ａの一側端は、不図示の結合具によって前記コーナーポスト２０に結合される。
【００１７】
以上の要領で最下段の壁パネル１１Ａがフロアモール２１上に立設されると、図５に示すように、この壁パネル１１Ａの自由端面にアルミニウム製のドアモール３の下端部が上下２本のビス４によって取り付けられる。
【００１８】
上述のように壁パネル１１Ａの自由端面にドアモール３が取り付けられると、このドアモール３に沿って２段目から上の幅の短い壁パネル１１Ｂ〜１１Ｅ（最下段の壁パネル１１Ａと同幅の壁パネル）が図６に示すように上下に積み重ねて接合される。尚、図６には最下段の壁パネル１１Ａとその上の壁パネル１１Ｂとの接合構造が示されている。
【００１９】
即ち、下方の壁パネル１１Ａの上に上方の壁パネル１１Ｂが両者の間にアルミニウム製のモール材５を介して積み重ねられて接合される。具体的には、既に接合された下方の壁パネル１１Ａの上端面に形成された凹部１１ａにモール材５の下方の凸部５ａが嵌め込まれて該モール材５がセットされ、このモール材５の上方の凸部５ｂに、上方の壁パネル１１Ｂの下面に形成された凹部１１ａが嵌め込まれて該上方の壁パネル１１Ｂが下方の壁パネル１１Ａの上に積み重ねられて接合される。
【００２０】
以上のようにして下方の壁パネル１１Ａの上に上方の壁パネル１１Ｂが積み重ねて接合接合されると、モール材５のバスルームに向かって開口する嵌合溝５ｃに目地材６が嵌め込まれ、接合された上下の壁パネル１１Ａ，１１Ｂの接合端面間の隙間が目地材６によってバスルーム側（内面側）から覆われて人目から隠される。
【００２１】
その後は、以上と同様の要領によって複数の壁パネル１１Ａ〜１１Ｅ同士をモール材５を用いた凹凸嵌合によって上下方向に積み重ねて接合し、モール材５の嵌合溝５ｃに目地材６を嵌め込んで各壁パネル１１Ａ〜１１Ｅの接合端面間の隙間を該目地材６で覆う作業が繰り返される。尚、各壁パネル１１Ｂ〜１１Ｅの一側端（ドアモール３側とは反対側の端部）も最下段の壁パネル１１Ａと同様に不図示の固定具によってコーナーポスト２０に結合される。
【００２２】
而して、幅の短い複数（図７に示す例では５枚）の壁パネル１１Ａ〜１１Ｅが上下方向に積み重ねて接合されると、図７に示すように、これらの壁パネル１１Ａ〜１１Ｅが配される面には矩形の開口部（人が出入りするための開口部）Ｓが形成され、この開口部Ｓの左右両端にはドアモール３とコーナーポスト２０が垂直に立設されることとなる。そして、開口部Ｓに矩形枠体状のドア枠７が組み込まれ、このドア枠７の左右の側端部がドアモール３とコーナーポスト２０にそれぞれ取り付けられ、ドア枠７には不図示のドアが開閉可能に取り付けられる。
【００２３】
ここで、ドア枠７の一側端は、図８の斜視図に示すように、長尺のビス８によってコーナーポスト２０に取り付けられ、同ドア枠７の他側部は、図９の平断面図に示すように、不図示のビスによってドアモール３に取り付けられる。
【００２４】
以上のように、本実施の形態においては、上下方向に積み重ねられた幅の狭い複数の壁パネル１１Ａ〜１１Ｄの各自由端をドアモール３で結合するため、これらの壁パネル１１Ａ〜１１Ｄがドアモール３によって確実に固定され、壁面の一部に形成された開口部Ｓの左右側に立設されたドアモール３とコーナーポスト２０にドア枠７を十分な強度で、且つ、作業性良く簡単に取り付けることができる。
【産業上の利用可能性】
【００２５】
本発明は、ユニットバスルームの壁面の他、洗面室等、他の任意の部屋の壁面の一部にドア枠を取り付ける構造に対して適用可能である。
【図面の簡単な説明】
【００２６】
【図１】コーナーポストとフロアモールの固定要領を示す斜視図である。
【図２】コーナーポストとフロアモールの固定要領を示す斜視図である。
【図３】コーナーポストとフロアモールの固定要領を示す斜視図である。
【図４】最下段の壁パネルの組付要領を示す部分縦断面図である。
【図５】最下段の壁パネルへのドアモールの取付要領を示す斜視図である。
【図６】２段目より上の壁パネルの組付要領を示す部分縦断面図である。
【図７】開口部が形成された壁面を示す斜視図である。
【図８】ドア枠のコーナーポストへの取付要領を示す斜視図である。
【図９】ドア枠のドアモールへの取付要領を示す斜視図である。
【図１０】本発明に係るドア枠取付構造を備えるユニットバスルームの斜視図である。
【符号の説明】
【００２７】
１      コーナーポスト固定部材
３      ドアモール
７      ドア枠
１０    壁パネル（壁パネルＡ）
１１（１１Ａ〜１１Ｅ）  幅の狭い壁パネル（壁パネルＢ）
２０    コーナーポスト
２１    フロアモール
３０    防水パネル（フロア部材）
Ｓ      開口部
【図１】
2006016832.tif 000003
【図２】
2006016832.tif 000004
【図３】
2006016832.tif 000005
【図４】
2006016832.tif 000006
【図５】
2006016832.tif 000007
【図６】
2006016832.tif 000008
【図７】
2006016832.tif 000009
【図８】
2006016832.tif 000010
【図９】
2006016832.tif 000011
【図１０】
2006016832.tif 000012